【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
第１の時点及び第２の時点の間における患者の歯の移動を検出し且つ監視する方法をデータ処理システムにより実施させるプログラムコード手段を含むコンピュータプログラム製品であって、
前記第１の時点において記録された前記歯の第１のデジタル３Ｄ表現物を獲得し、且つ、少なくとも１つの歯に対して第１の３Ｄ歯モデルが形成されるように前記第１のデジタル３Ｄ表現物をセグメント化する段階と、
前記第２の時点において記録された前記歯の第２のデジタル３Ｄ表現物を獲得し、且つ、前記少なくとも１つの歯に対して第２の３Ｄ歯モデルが形成されるように前記第２のデジタル３Ｄ表現物をセグメント化する段階と、
前記第１の３Ｄ歯モデル及び前記第２の３Ｄ歯モデルを局所的に整列させる段階と、
局所的に整列された前記第１の３Ｄ歯モデル上及び前記第２の３Ｄ歯モデル上に１つ又は複数の解剖学的対応領域を選択する段階と、
患者の一群の歯の全体的整列に従い、前記第１のデジタル３Ｄ表現物及び前記第２のデジタル３Ｄ表現物、又は、前記第１のデジタル３Ｄ表現物及び第２の３Ｄ歯モデルを配置し、且つ、選択された前記解剖学的対応領域同士の間の解剖学的に正しい距離を導出し、前記全体的整列が、前記第１のデジタル３Ｄ表現物及び第２のデジタル３Ｄ表現物の間に経過した時間の間において移動されることがない一群の歯の部分に対応する前記デジタル３Ｄ表現物の部分に基づく、段階と、
導出された前記距離に基づき、前記第１の時点及び前記第２の時点の間における前記少なくとも１つの歯に対する歯の移動を決定する段階と、
を含む、コンピュータプログラム製品。
【請求項２】
前記全体的整列が、隣り合う複数本の歯のような、前記デジタル３Ｄ表現物における少なくとも２本の歯に基づく、請求項１に記載のコンピュータプログラム製品。
【請求項３】
前記全体的整列が、さらに、患者の一群の歯における１つ又は複数の四分の一区分の歯に基づく、請求項１又は２に記載のコンピュータプログラム製品。
【請求項４】
前記全体的整列が患者の皺襞に基づく、請求項１乃至３のいずれか一項に記載のコンピュータプログラム製品。
【請求項５】
前記第１の３Ｄ歯モデル及び前記第２の３Ｄ歯モデルを局所的に整列させる前記段階が、局所的な整列を提供する変換行列を決定する段階を含み、前記距離が前記変換行列から導出される、請求項１乃至４のいずれか一項に記載のコンピュータプログラム製品。
【請求項６】
局所的に整列された前記第１の３Ｄ歯モデル上及び前記第２の３Ｄ歯モデル上に１つ又は複数の解剖学的対応領域を選択する前記段階が、前記第１の３Ｄ歯モデル及び／又は前記第２の３Ｄ歯モデルの表面全体を選択する段階を含む、請求項１乃至５のいずれか一項に記載のコンピュータプログラム製品。
【請求項７】
当該方法が、局所的に整列された前記第１の３Ｄ歯モデル及び前記第２の３Ｄ歯モデルから、又は、全体的に整列された前記第１のデジタル３Ｄ表現物及び前記第２のデジタル３Ｄ表現物から、前記歯に亘る前記距離の変化を表現する距離マップを導出する段階を含む、請求項６に記載のコンピュータプログラム製品。
【請求項８】
第１の時点及び第２の時点の間における患者の歯の移動を検出し且つ監視する方法であって、
前記第１の時点において記録された前記歯の第１のデジタル３Ｄ表現物を獲得し、且つ、少なくとも１つの歯に対して第１の３Ｄ歯モデルが形成されるように前記第１のデジタル３Ｄ表現物をセグメント化する段階と、
前記第２の時点において記録された前記歯の第２のデジタル３Ｄ表現物を獲得し、且つ、前記少なくとも１つの歯に対して第２の３Ｄ歯モデルが形成されるように前記第２のデジタル３Ｄ表現物をセグメント化する段階と、
前記第１の３Ｄ歯モデル及び前記第２の３Ｄ歯モデルを局所的に整列させる段階と、
局所的に整列された前記第１の３Ｄ歯モデル上及び前記第２の３Ｄ歯モデル上に１つ又は複数の解剖学的対応領域を選択する段階と、
患者の一群の歯の全体的整列に従い、前記第１のデジタル３Ｄ表現物及び前記第２のデジタル３Ｄ表現物、又は、前記第１のデジタル３Ｄ表現物及び第２の３Ｄ歯モデルを配置し、且つ、選択された前記解剖学的対応領域同士の間の距離を導出し、前記全体的整列が、前記第１のデジタル３Ｄ表現物及び第２のデジタル３Ｄ表現物の間に経過した時間の間において移動されることがない一群の歯の部分に対応する前記デジタル３Ｄ表現物の部分に基づく、段階と、
導出された前記距離に基づき、前記第１の時点及び前記第２の時点の間における前記少なくとも１つの歯に対する解剖学的に正しい歯の移動を決定する段階と、
を含む、方法。
【請求項９】
前記全体的整列が、隣り合う複数本の歯のような、前記デジタル３Ｄ表現物における少なくとも２本の歯に基づく、請求項８に記載の方法。
【請求項１０】
前記全体的整列が、さらに、患者の一群の歯における１つ又は複数の四分の一区分の歯に基づく、請求項８又は９に記載の方法。
【請求項１１】
前記全体的整列が患者の皺襞に基づく、請求項８乃至１０のいずれか一項に記載の方法。
【請求項１２】
前記第１の３Ｄ歯モデル及び前記第２の３Ｄ歯モデルを局所的に整列させる前記段階が、局所的な整列を提供する変換行列を決定する段階を含み、前記距離が前記変換行列から導出される、請求項８乃至１１のいずれか一項に記載の方法。
【請求項１３】
局所的に整列された前記第１の３Ｄ歯モデル上及び前記第２の３Ｄ歯モデル上に１つ又は複数の解剖学的対応領域を選択する前記段階が、前記第１の３Ｄ歯モデル及び／又は前記第２の３Ｄ歯モデルの表面全体を選択する段階を含む、請求項８乃至１２のいずれか一項に記載の方法。
【請求項１４】
当該方法が、局所的に整列された前記第１の３Ｄ歯モデル及び前記第２の３Ｄ歯モデルから、又は、全体的に整列された前記第１のデジタル３Ｄ表現物及び前記第２のデジタル３Ｄ表現物から、前記歯に亘る前記距離の変化を表現する距離マップを導出する段階を含む、請求項１３に記載の方法。
【請求項１５】
第１の時点及び第２の時点の間における歯における歯肉退縮の進展を検出する方法であって、
前記第１の時点において記録された患者の一群の歯の第１のデジタル３Ｄ表現物を獲得する段階と、
前記第２の時点において記録された前記患者の一群の歯の第２のデジタル３Ｄ表現物を獲得する段階と、
前記第１のデジタル３Ｄ表現物及び前記第２のデジタル３Ｄ表現物の対応部分の対応するセグメント化により、前記歯の第１の３Ｄモデル及び第２の３Ｄモデルを生成する段階と、
前記第１の３Ｄ歯モデル及び前記第２の３Ｄ歯モデルを整列させる局所的変換を決定する段階と、
各区画の歯の部分が整列されるように、前記決定された局所的変換に従い、前記デジタル３Ｄ表現物を配置する段階と、
前記決定された局所的変換に従い配置された前記第１のデジタル３Ｄ表現物及び前記第２のデジタル３Ｄ表現物における歯肉境界同士を比較することにより、前記第１の時点及び前記第２の時点の間における歯肉退縮の進展を検出する段階と、
を含む、方法。
【請求項１６】
第１の時点及び第２の時点の間における歯における歯肉退縮の進展を検出する方法をデータ処理システムにより実施させるプログラムコード手段を含むコンピュータプログラム製品であって、
前記第１の時点において記録された患者の一群の歯の第１のデジタル３Ｄ表現物を獲得する段階と、
前記第２の時点において記録された前記患者の一群の歯の第２のデジタル３Ｄ表現物を獲得する段階と、
前記第１のデジタル３Ｄ表現物及び前記第２のデジタル３Ｄ表現物の対応部分の対応するセグメント化により、前記歯の第１の３Ｄモデル及び第２の３Ｄモデルを生成する段階と、
前記第１の３Ｄ歯モデル及び前記第２の３Ｄ歯モデルを整列させる局所的変換を決定する段階と、
各区画の歯の部分が整列されるように、前記決定された局所的変換に従い、前記デジタル３Ｄ表現物を配置する段階と、
前記決定された局所的変換に従い配置された前記第１のデジタル３Ｄ表現物及び前記第２のデジタル３Ｄ表現物における歯肉境界同士を比較することにより、前記第１の時点及び前記第２の時点の間における歯肉退縮の進展を検出する段階と、
を含む、コンピュータプログラム製品。
【請求項１７】
第１の時点及び第２の時点の間における患者の一群の歯に対する歯の摩滅の進展を検出する方法であって、
前記第１の時点において記録された前記歯の第１のデジタル３Ｄ表現物を獲得する段階と、
前記第２の時点において記録された前記歯の第２のデジタル３Ｄ表現物を獲得する段階と、
前記第１のデジタル３Ｄ表現物及び前記第２のデジタル３Ｄ表現物において前記歯をセグメント化する段階と、
前記第１のデジタル３Ｄ表現物及び前記第２のデジタル３Ｄ表現物のセグメント化された歯を局所的に整列させる段階と、
前記第１のデジタル３Ｄ表現物及び前記第２のデジタル３Ｄ表現物の局所的に整列されたセグメント化された前記歯を比較する段階と、
前記比較に基づき、少なくとも１つの歯の形状及び／又はサイズの変化を検出する段階と、
検出された歯のサイズの変化を、患者のエナメル質の期待深度に関する閾値と相関させる段階と、
を含む、方法。
【請求項１８】
第１の時点及び第２の時点の間における患者の一群の歯に対する歯の摩滅の進展を検出する方法をデータ処理システムにより実施させるプログラムコード手段を含むコンピュータプログラム製品であって、
前記第１の時点において記録された前記歯の第１のデジタル３Ｄ表現物を獲得する段階と、
前記第２の時点において記録された前記歯の第２のデジタル３Ｄ表現物を獲得する段階と、
前記第１のデジタル３Ｄ表現物及び前記第２のデジタル３Ｄ表現物において前記歯をセグメント化する段階と、
前記第１のデジタル３Ｄ表現物及び前記第２のデジタル３Ｄ表現物のセグメント化された歯を局所的に整列させる段階と、
前記第１のデジタル３Ｄ表現物及び前記第２のデジタル３Ｄ表現物の局所的に整列されたセグメント化された前記歯を比較する段階と、
前記比較に基づき、少なくとも１つの歯の形状及び／又はサイズの変化を検出する段階と、
検出された歯のサイズの変化を、患者のエナメル質の期待深度に関する閾値と相関させる段階と、
を含む、コンピュータプログラム製品。